(57)【要約】      （修正有）【課題】故障のない通常の観察時に視界が途切れてしまうことがなく、照明ファイバを変位させる駆動部が故障した場合には照明光が集中して被写体に連続照射することがない、より安全性を高めた走査型内視鏡の光射出プローブを提供する。【解決手段】内視鏡の挿入部は、先端に照明レンズが設けられた筒状体４０と、レーザ光源から発せられる照明光を照明レンズを介して観察対象部位に向けて射出する光ファイバ１４と、光ファイバ１４と共に振動し、光ファイバ１４により射出される照明光が観察対象部位で走査するよう、光ファイバ１４を径方向に駆動するアクチュエータ１５と、光ファイバ１４の長手方向を基準に、照明レンズにおける照明光を射出する面と、光ファイバ１４における照明光を射出する端面との間に設けられ、無色透明で所定の光量の光を照射すると黒色に変色する顔料４４を含む樹脂４５と、を有する。【選択図】図２
2015080488.tif 000002
【特許請求の範囲】
【請求項１】
先端に照明レンズが設けられた筒状体と、
前記筒状体内に設けられ、光源から発せられる照明光を前記照明レンズを介して観察対象部位に向けて射出する光ファイバと、
前記光ファイバと共に振動し、該光ファイバにより射出される前記照明光が前記観察対象部位で走査するよう、前記光ファイバを径方向に駆動する駆動部と、
前記光ファイバの長手方向を基準に、前記照明レンズにおける前記照明光を射出する面と、前記光ファイバにおける前記照明光を射出する端面との間に設けられ、無色透明で所定の光量の光を照射すると黒色に変色する光マーキング顔料を含む光変色部と、
を備えることを特徴とする走査型内視鏡の光射出プローブ。
【請求項２】
前記照明レンズは、前記筒状体の先端側に設けられた第１のレンズと、該第１のレンズと前記光ファイバの先端との間に設けられた第２のレンズと、を含む複数のレンズを含み、
前記光変色部は、前記第１のレンズと前記第２のレンズとの間に充たした無色透明の樹脂中に含まれる前記光マーキング顔料を含む請求項１に記載の走査型内視鏡の光射出プローブ。
【請求項３】
前記光変色部は、前記照明レンズにおける前記筒状体の先端側または前記筒状体の基端側の面に対して設けた前記光マーキング顔料を含む皮膜であることを特徴とする請求項１に記載の走査型内視鏡の光射出プローブ。
【請求項４】
前記光変色部は、前記照明レンズに隣接すると共に、前記光マーキング顔料を含むプレートであることを特徴とする請求項１に記載の走査型内視鏡の光射出プローブ。
【請求項５】
前記光変色部は、前記照明レンズにおける前記筒状体の先端側に隣接して設けられ、前記照明レンズの端面を覆うと共に、前記照明光を射出する面を備えたカバーガラスに塗布される請求項４に記載の走査型内視鏡の光射出プローブ。
【請求項６】
前記光変色部は、前記駆動部により駆動される前記光ファイバにより射出される前記照明光が前記照明レンズにおいて走査する範囲に設けられることを特徴とする請求項１に記載の走査型内視鏡の光射出プローブ。
【請求項７】
請求項１に記載の走査型内視鏡の光射出プローブと、
前記光ファイバから射出されて前記観察対象部位で反射した戻り光を受光する受光ファイバと、
を備えることを特徴とする走査型内視鏡。
【請求項８】
前記走査型内視鏡が正常に走査する状態のうち、前記駆動部が最も遅く駆動し且つ前記照明光の光量が最も強い状態で走査型内視鏡を動作させた際に照射される前記照明光よりも光量が多い場合に、前記光変色部が黒色に変色しないように、前記照明光の光量を調整する制御部を備えることを特徴とする請求項７に記載の走査型内視鏡。
【請求項９】
前記受光ファイバで受光した前記戻り光が所定の光量以下の場合、前記光源から射出される照明光を停止するように制御する制御部を備えることを特徴とする請求項７に記載の走査型内視鏡。
【発明の詳細な説明】
【技術分野】
【０００１】
本発明は、レーザ光を走査させる走査型内視鏡の光射出プローブ及び走査型内視鏡に関する。
【背景技術】
【０００２】
周知の如く、ＣＣＤ、ＣＭＯＳ等の固体撮像素子を有した撮像装置により被検体像を光電変換して、モニタに取得画像を表示する電子内視鏡がある。近年、このような固体撮像素子の技術を用いず、被写体像を画像表示する装置として、走査型内視鏡がある。この走査型内視鏡は、光源からの照明光を導光する照明ファイバの先端を走査させ、被検体からの戻り光を照明ファイバの周囲に配置された光ファイババンドルで受光し、経時的に検出した光強度信号を用いて被写体像を画像化する。
【０００３】
この走査型内視鏡は、照明ファイバを変位させて照明光を走査させるアクチュエータ等の駆動部を挿入部の先端部内に設け、挿入部の先端の照明レンズからレーザ光等の照明光を照射することで、被写体を照明する。しかし、照明ファイバを変位させる駆動部が突然の故障等により動作しない状態になったまま照明光の照射が継続すると、故障の仕方によっては照明ファイバからある所定の領域に照明光が集中して連続照射される可能性があり、被写体に対して規定以上のレーザ光量が照射される可能性がる。
【０００４】
そこで、例えば特許文献１には、カバーレンズの中心に光を遮断するマスクを設けた走査型内視鏡が開示されている。
【先行技術文献】
【特許文献】
【０００５】
【特許文献１】特開２０１２−１２２４７２号公報
【発明の概要】
【発明が解決しようとする課題】
【０００６】
しかしながら、照明ファイバが途中で折れてしまった場合、その折れ方によっては、光軸中心でない部分に光が集中照射される可能性があるが、例えば従来のように中心付近をマスクするだけでは、照明光を遮断することができない。また、カバーレンズの中心付近に光を遮断するマスクを設けると、マスクが存在する領域の視界が途切れてしまうことになり、正しい観察が困難になるという問題がある。
【０００７】
そこで、本発明は、故障のない通常の観察時に視界が途切れてしまうことがなく、照明ファイバを変位させる駆動部が故障した場合には照明光が集中して被写体に連続照射することがない、より安全性を高めた走査型内視鏡の光射出プローブ及び走査型内視鏡を提供することを目的とする。
【課題を解決するための手段】
【０００８】
本発明の一態様の走査型内視鏡の光射出プローブは、先端に照明レンズが設けられた筒状体と、前記筒状体内に設けられ、光源から発せられる照明光を前記照明レンズを介して観察対象部位に向けて射出する光ファイバと、前記光ファイバと共に振動し、該光ファイバにより射出される前記照明光が前記観察対象部位で走査するよう、前記光ファイバを径方向に駆動する駆動部と、前記光ファイバの長手方向を基準に、前記照明レンズにおける前記照明光を射出する面と、前記光ファイバにおける前記照明光を射出する端面との間に設けられ、無色透明で所定の光量の光を照射すると黒色に変色する光マーキング顔料を含む光変色部と、を有する。
【０００９】
また、本発明の一態様の走査型内視鏡は、先端に照明レンズが設けられた筒状体と、前記筒状体内に設けられ、光源から発せられる照明光を前記照明レンズを介して観察対象部位に向けて射出する光ファイバと、前記光ファイバと共に振動し、該光ファイバにより射出される前記照明光が前記観察対象部位で走査するよう、前記光ファイバを径方向に駆動する駆動部と、前記光ファイバの長手方向を基準に、前記照明レンズにおける前記照明光を射出する面と、前記光ファイバにおける前記照明光を射出する端面との間に設けられ、無色透明で所定の光量の光を照射すると黒色に変色する光マーキング顔料を含む光変色部と、を有する走査型内視鏡の光射出プローブと、前記光ファイバから射出されて前記観察対象部位で反射した戻り光を受光する受光ファイバと、を有する。
【発明の効果】
【００１０】
本発明によれば、故障のない通常の観察時に視界が途切れてしまうことがなく、照明ファイバを変位させる駆動部が故障した場合には照明光が集中して被写体に連続照射することがない、より安全性を高めた走査型内視鏡の光射出プローブ及び走査型内視鏡を提供することができる。
【図面の簡単な説明】
【００１１】
【図１】第１の実施の形態に係る内視鏡装置の構成を示す図である。
【図２】第１の実施の形態に係る挿入部の先端部の構成について説明するための断面図である。
【図３】内視鏡装置の異常動作時の状態を説明するための図である。
【図４】第２の実施の形態に係る挿入部の先端部の構成について説明するための断面図である。
【図５】第３の実施の形態に係る挿入部の先端部の構成について説明するための断面図である。
【図６】第４の実施の形態に係る挿入部の先端部の構成について説明するための断面図である。
【発明を実施するための形態】
【００１２】
以下、図面を参照して本発明の実施の形態を説明する。
【００１３】
（第１の実施の形態）
まず、図１を用いて、第１の実施の形態の内視鏡装置の全体構成について説明する。
【００１４】
図１は、第１の実施の形態に係る内視鏡装置の構成を示す図である。
【００１５】
図１に示すように、走査型内視鏡装置としての内視鏡装置１は、レーザ光（照明光）を走査させながら被検体に照射し、被検体からの戻り光を得る走査型の内視鏡２と、この内視鏡２に接続される本体装置３と、本体装置３で得られる被検体像を表示するモニタ４とを有して構成されている。
【００１６】
走査型内視鏡としての内視鏡２は、所定の可撓性を備えたチューブ体を主体として構成され、生体内に挿通される細長な挿入部１０を有する。走査型内視鏡の光射出プローブとしての挿入部１０の基端側は、コネクタ１１が設けられており、内視鏡２は、このコネクタ１１を介して、本体装置３と着脱自在に構成されている。また、挿入部１０の先端側には、先端部１２が設けられている。
【００１７】
先端部１２の先端面１２ａには、照明レンズ１３ａ及び１３ｂにより構成される先端光学系１３が設けられている。また、挿入部１０の内部には、基端側から先端側へ挿通され、後述する光源ユニット２４からの光を導光し、生体にレーザ光を照射する光学素子としての光ファイバ１４と、光ファイバ１４の先端側に設けられ、後述するドライバユニット２５からの駆動信号に基づき、光ファイバ１４の先端を所望の方向に走査させるアクチュエータ１５とが設けられている。このような構成により、照明ファイバとしての光ファイバ１４によって導光された光源ユニット２４からのレーザ光が被写体に照射される。
【００１８】
また、挿入部１０の内部には、挿入部１０の内周に沿って基端側から先端側へ挿通され、被検体からの戻り光を受光する受光ファイバとしての検出ファイバ１６が設けられている。検出ファイバ１６の先端面は、先端部１２の先端面１２ａの先端光学系１３の周囲に配置される。この検出ファイバ１６は、少なくとも２本以上のファイババンドルであってもよい。内視鏡２が本体装置３に接続された際に、検出ファイバ１６は後述する分波器３６に接続される。
【００１９】
また、挿入部１０の内部には、内視鏡２に関する各種情報を記憶したメモリ１７が設けられている。メモリ１７は、内視鏡２が本体装置３に接続された際に、図示しない信号線を介して、後述するコントローラ２３に接続され、内視鏡２に関する各種情報がコントローラ２３によって読み出される。
【００２０】
光ファイバ１４には、コネクタ１１から先端部１２のアクチュエータ１５にかけて、例えば線状の金属で構成された複数の導線１８が蒸着されている。複数の導線１８の先端にはアクチュエータ１５が設けられている。そして、これらの複数の導線１８は、コネクタ１１が本体装置３に装着された際に、本体装置３のアンプ３５に接続される。これらの複数の導線１８は、アクチュエータ１５を駆動するための駆動信号を導電する導電部を構成する。
【００２１】
本体装置３は、電源２１と、メモリ２２と、コントローラ２３と、光源ユニット２４と、ドライバユニット２５と、検出ユニット２６とを有して構成されている。
【００２２】
光源ユニット２４は、レーザ光源３１を有して構成されている。また、ドライバユニット２５は、信号発生器３３と、デジタルアナログ（以下、Ｄ／Ａという）変換器３４ａ及び３４ｂと、アンプ３５とを有して構成されている。
【００２３】
検出ユニット２６は、分波器３６と、検出器３７ａ〜３７ｃと、アナログデジタル（以下、Ａ／Ｄという）変換器３８ａ〜３８ｃとを有して構成されている。
【００２４】
電源２１は、図示しない電源スイッチ等の操作に応じて、コントローラ２３への電源の供給を制御する。メモリ２２には、本体装置３全体の制御を行うための制御プログラム等が記憶されている。
【００２５】
コントローラ２３は、電源２１から電源が供給されると、メモリ２２から制御プログラムを読み出し、光源ユニット２４、ドライバユニット２５の制御を行うとともに、検出ユニット２６で検出された被写体からの戻り光の光強度の解析を行い、得られた被写体像をモニタ４に表示させる制御を行う。
【００２６】
光源ユニット２４のレーザ光源３１は、コントローラ２３の制御に基づき、所定の波長帯域のレーザ光（照明光）を光ファイバ１４に出射する。この光ファイバ１４は、レーザ光源３１からのレーザ光（照明光）を対象物に出射する。より具体的には、光ファイバ１４は、後述する筒状体４０内に設けられ、レーザ光源３１から発せられる照明光を照明レンズ１３ａ及び１３ｂを介して観察対象部位に向けて射出する。
【００２７】
ドライバユニット２５の信号発生器３３は、コントローラ２３の制御に基づき、光ファイバ１４の先端を所望の方向、例えば、螺旋状に走査（スキャン駆動）させるための駆動信号を出力する。具体的には、信号発生器３３は、光ファイバ１４の先端を挿入部１０の挿入軸に対して左右方向（Ｘ軸方向）に駆動させる駆動信号をＤ／Ａ変換器３４ａに出力し、挿入部１０の挿入軸に対して上下方向（Ｙ軸方向）に駆動させる駆動信号をＤ／Ａ変換器３４ｂに出力する。
【００２８】
Ｄ／Ａ変換器３４ａ及び３４ｂは、それぞれ入力された駆動信号をデジタル信号からアナログ信号に変換し、アンプ３５に出力する。アンプ３５は、入力された駆動信号を増幅してアクチュエータ１５に出力する。アンプ３５から出力された駆動信号は、光ファイバ１４に蒸着されている複数の導線１８を介してアクチュエータ１５に供給される。
【００２９】
アクチュエータ１５は、アンプ３５からの駆動信号に基づいて、光ファイバ１４の先端（自由端）を揺動させ、螺旋状に走査させる。より具体的には、駆動部としてのアクチュエータ１５は、光ファイバ１４と共に振動し、光ファイバ１４により射出される照明光が観察対象部位で走査するよう、光ファイバ１４を径方向に駆動する。これにより、光源ユニット２４のレーザ光源３１から光ファイバ１４に出射された光は、被検体に対して螺旋状に順次照射される。
【００３０】
検出ファイバ１６は、被検体の表面領域で反射された戻り光を受光し、受光した戻り光を分波器３６に導光する。
【００３１】
分波器３６は、例えば、ダイクロイックミラー等であり、所定の波長帯域で戻り光を分波する。具体的には、分波器３６は、検出ファイバ１６により導光された戻り光を、Ｒ，Ｇ，Ｂの波長帯域の戻り光に分波し、それぞれ検出器３７ａ、３７ｂ及び３７ｃに出力する。
【００３２】
検出器３７ａ、３７ｂ及び３７ｃは、それぞれＲ，Ｇ，Ｂの波長帯域の戻り光の光強度を検出する。検出器３７ａ、３７ｂ及び３７ｃで検出された光強度の信号は、それぞれＡ／Ｄ変換器３８、３８ｂ及び３８ｃに出力される。
【００３３】
Ａ／Ｄ変換器３８ａ〜３８ｃは、それぞれ検出器３７ａ〜３７ｃから出力された光強度の信号をアナログ信号からデジタル信号に変換し、コントローラ２３に出力する。
【００３４】
コントローラ２３は、Ａ／Ｄ変換器３８ａ〜３８ｃからのデジタル信号に所定の画像処理を施して被写体像を生成し、モニタ４に表示する。
【００３５】
ここで、図２を用いて、挿入部１０の先端部１２の詳細な構成について説明する。図２は、第１の実施の形態に係る挿入部の先端部の構成について説明するための断面図である。
【００３６】
図２に示すように、挿入部１０の先端部１２は、それぞれがステンレス等の金属部材で構成される筒状体４０ａ、筒状体４０ｂ、及び、筒状体４０ａ及び４０ｂを連結する筒状体４０ｃにより構成される。なお、以下の説明では、筒状体４０ａ、４０ｂ、及び４０ｃを単に筒状体４０ともいう。
【００３７】
また、挿入部１０の先端部１２には、光ファイバ１４と、アクチュエータ１５との間に接合部材としてのフェルール４１が配置されている。フェルール４１は、光通信の分野で用いられる部材であり、材質はジルコニア（セラミック）、ニッケル等が用いられ、光ファイバ１４の外径（例えば、１２５μｍ）に対して高精度（例えば、±１μｍ）での中心孔加工が容易に実現できる。そして、フェルール４１の略中心には、光ファイバ１４の径に基づいた貫通孔が設けられ、中心孔加工が施され、光ファイバ１４が接着剤等の固定部材４２により固定される。
【００３８】
フェルール４１は、四角柱の形状であり、アクチュエータ１５は、四角柱のフェルール４１の各側面にそれぞれに配置される。また、フェルール４１及び光ファイバ１４は、先端部１２において、固定部材４３により、先端部１２の略中央、より具体的には、筒状体４０ｂの略中央に固定されている。このように、フェルール４１は、アクチュエータ１５が固着されるとともに、光ファイバ１４の外周を把持する。
【００３９】
図１に示す複数の導線１８は、図示を省略しているが、それぞれフェルール４１の各側面に配置されたアクチュエータ１５に接続されている。これにより、ドライバユニット２５からの駆動信号が導線１８を介してアクチュエータ１５に供給されることになる。アクチュエータ１５は、例えば、圧電素子（ピエゾ素子）であり、ドライバユニット２５からの駆動信号に応じて伸縮する。これにより、光ファイバ１４の先端を螺旋状に走査させることができる。そして、光ファイバ１４から出射されるレーザ光は、先端光学系１３で集光され、被写体に照射される。
【００４０】
この先端光学系１３（照明光学系）は、光ファイバ１４と対向配置され、平凸レンズの照明レンズ１３ａと、凸平レンズの照明レンズ１３ｂとから構成される。また、先端光学系１３は、レーザ光源３１側から平凸レンズの照明レンズ１３ａ、凸平レンズの照明レンズ１３ｂの順に配置されている。照明レンズ１３ａ及び１３ｂは、筒状体４０ａ内に設けられ、固定される。筒状体４０ａの先端面は開口しており、先端光学系１３で集光されたレーザ光がこの開口から出射され、被写体に照射される。
【００４１】
なお、先端光学系１３は、２枚の照明レンズ１３ａ及び１３ｂで構成されているが、これに限定されるものではない。例えば、後述する顔料４４を含む樹脂４５が、より、直ちに確実に変色させるために、光を照射し続けると変色する部分に集中的に光を照射させるような光学部材を追加してもよい。
【００４２】
本実施の形態では、レーザ光が通過する光路内である照明レンズ１３ａと照明レンズ１３ｂとの間に、所定の光量の光が照射されると黒色に変色する光マーキング顔料としての顔料４４を含む樹脂４５が設けられている。なお、顔料４４を含む樹脂４５は、照明レンズ１３ａと照明レンズ１３ｂとの間に設けられているが、これに限定されるものではない。
【００４３】
すなわち、光変色部としての樹脂４５は、レーザ光が通過する光路内に設けられていればよく、光ファイバ１４の長手方向を基準に、照明レンズ１３ａ及び１３ｂにおける照明光を出射する面（図２の例では照明レンズ１３ｂの平面）と、光ファイバ１４における照明光を射出する端面との間に設けられていればよい。また、顔料４４を含む樹脂４５は、アクチュエータ１５により駆動される光ファイバ１４により射出されるレーザ光が照明レンズ１３ａ及び１３ｂにおいて走査する範囲に設けられていればよい。
【００４４】
顔料４４は、例えば亜クロム酸銅（CuCr2O4）等の無色透明な顔料であり、所定の光量の光が照射されると、発色することで黒色に変色する。
【００４５】
また、樹脂４５は、熱可塑性樹脂（例えば、ポリカーボネート等のプラスチック）や熱硬化性樹脂（例えば、エポキシ系の接着剤）等の無色透明な樹脂であり、所定の光量の光が照射されると、その熱により炭化することで黒色に変色する。
【００４６】
このように、顔料４４及び樹脂４５は、レーザ光が集中照射されない通常動作では、観察を妨げないように、無色透明であり、レーザ光が集中照射された異常動作では、顔料４４及び／又は樹脂４５が黒色に変色し、被写体へのレーザ光の照射を防ぐようになっている。
【００４７】
図３は、内視鏡装置の異常動作時の状態を説明するための図である。
【００４８】
例えば、アクチュエータ１５の故障や光ファイバ１４の折れ等により、レーザ光を走査することができない異常動作時には、レーザ光源３１からのレーザ光が所定の位置にレーザ光が持続的に集中照射される。なお、図３は、アクチュエータ１５が故障した場合の例である。
【００４９】
アクチュエータ１５が故障すると、ドライバユニット２５からの駆動信号に応じて伸縮することができなくなり、光ファイバ１４が先端部１２の略中央で動作しなくなる。このように、駆動部としてのアクチュエータ１５が故障すると、光ファイバ１４からのレーザ光が顔料４４を含む樹脂４５の所定の位置に持続的に集中照射されることになる。
【００５０】
顔料４４を含む樹脂４５にレーザ光が集中照射されると、レーザ光が集中照射された位置の顔料４４及び／又は樹脂４５が黒色４６に変色する。これにより、レーザ光が黒色４６に変色した顔料４４及び／又は樹脂４５により遮断（反射又は吸収）され、レーザ光が被写体に集中照射させることを防ぐようになっている。
【００５１】
このように、顔料４４及び／又は樹脂４５が黒色４６に変化すると、レーザ光が被写体に照射されなくなるため、検出ファイバ１６で被写体からの戻り光が検出されなくなる。制御部としてのコントローラ２３は、検出ファイバ１６で被写体からの戻り光が検出されなくなった場合（より具体的には、戻り光が所定の光量以下となった場合）、レーザ光源３１に対してレーザ光の出射を停止させるように制御する。
【００５２】
また、制御部としてのコントローラ２３は、内視鏡２が正常に走査する状態のうち、アクチュエータ１５が最も遅く駆動し且つ照明光の光量が最も強い状態で内視鏡２を動作させた際に照射される照明光よりも光量が多い場合に、顔料４４を含む樹脂４５が黒色に変色しないように、レーザ光源３１から出射されるレーザ光の光量を調整する。
【００５３】
以上のように、内視鏡２の挿入部１０は、レーザ光源３１からのレーザ光が通過する光路内に、所定の光量の光が照射されると黒色に変色する顔料４４を含む樹脂４５を設けるようにしている。本実施の形態では、照明レンズ１３ａと照明レンズ１３ｂとの間に、顔料４４を含む樹脂４５が設けられている。顔料４４を含む樹脂４５は、レーザ光が集中照射されない通常動作では、観察を妨げないように無色透明であり、駆動部としてのアクチュエータ１５が故障する等により、レーザ光が集中照射された異常動作では、顔料４４及び／又は樹脂４５が黒色４６に変色する。この結果、レーザ光が黒色４６に変色した顔料４４及び／又は樹脂４５により遮断され、レーザ光が被写体に集中照射させることを防ぐことができる。
【００５４】
よって、本実施の形態の走査型内視鏡の光射出プローブとしての挿入部１０及び走査型内視鏡としての内視鏡２によれば、故障のない通常の観察時に視界が途切れてしまうことがなく、照明ファイバを変位させる駆動部が故障した場合には照明光が集中して被写体に連続照射することがないので、より安全性を高めることができる。
【００５５】
（第２の実施の形態）
次に、第２の実施の形態については説明する。
【００５６】
図４は、第２の実施の形態に係る挿入部の先端部の構成について説明するための断面図である。なお、図４において、図２と同様の構成については、同一の符号を付して説明を省略する。
【００５７】
第２の実施の形態では、第１の実施の形態の先端部１２に代わり、先端部１２ｂを用いて構成されている。そして、先端部１２ｂの照明レンズ１３ａと照明レンズ１３ｂとの間に、顔料４４を含む平板４７が設けられている。なお、プレートとしての平板４７は、照明レンズ１３ａと照明レンズ１３ｂとの間に設けられているが、これに限定されることなく、照明レンズ１３ａ又は１３ｂに隣接して設けられていればよい。この平板４７は、例えば、無色透明なプラスチックで構成されており、所定の光量の光が照射されると、その熱により炭化することで黒色に変色する。その他の構成及び異常動作時の状態は、第１の実施の形態と同様である。
【００５８】
すなわち、アクチュエータ１５が故障する等により、レーザ光が集中照射された異常動作では、顔料４４及び／又は平板４７が黒色に変色し、レーザ光が黒色に変色した顔料４４及び／又は平板４７により遮断され、レーザ光が被写体に集中照射させることを防ぐようになっている。
【００５９】
よって、本実施の形態の先端部１２ｂを備えた挿入部１０及び内視鏡２によれば、第１の実施の形態と同様に、故障のない通常の観察時に視界が途切れてしまうことがなく、照明ファイバを変位させる駆動部が故障した場合には照明光が集中して被写体に連続照射することがないので、より安全性を高めることができる。
【００６０】
（第３の実施の形態）
次に、第３の実施の形態については説明する。
【００６１】
図５は、第３の実施の形態に係る挿入部の先端部の構成について説明するための断面図である。なお、図５において、図２と同様の構成については、同一の符号を付して説明を省略する。
【００６２】
第３の実施の形態では、第１の実施の形態の先端部１２に代わり、先端部１２ｃを用いて構成されている。そして、先端部１２ｃの照明レンズ１３ａと照明レンズ１３ｂとにおいて、被写体側面以外に顔料４４を含む樹脂皮膜４８をコーティングする。より具体的には、照明レンズ１３ａの平面、凸面、及び照明レンズ１３ｂの凸面に顔料４４を樹脂皮膜４８がコーティングされている。
【００６３】
なお、本実施の形態では、照明レンズ１３ａの平面、凸面、及び照明レンズ１３ｂの凸面の３面に顔料４４を樹脂皮膜４８がコーティングされているが、これらの３面のいずれか１面以上に顔料４４を樹脂皮膜４８がコーティングされていればよい。
【００６４】
樹脂皮膜４８は、第１の実施の形態と同様に、熱可塑性樹脂や熱硬化性樹脂等の無色透明な樹脂皮膜であり、所定の光量の光が照射されると、その熱により炭化することで黒色に変色する。その他の構成及び異常動作時の状態は、第１の実施の形態と同様である。
【００６５】
すなわち、アクチュエータ１５が故障する等により、レーザ光が集中照射された異常動作では、顔料４４及び／又は樹脂皮膜４８が黒色に変色し、レーザ光が黒色に変色した顔料４４及び／又は樹脂皮膜４８により遮断され、レーザ光が被写体に集中照射させることを防ぐようになっている。
【００６６】
よって、本実施の形態の先端部１２ｃを備えた挿入部１０及び内視鏡２によれば、第１の実施の形態と同様に、故障のない通常の観察時に視界が途切れてしまうことがなく、照明ファイバを変位させる駆動部が故障した場合には照明光が集中して被写体に連続照射することがないので、より安全性を高めることができる。
【００６７】
（第４の実施の形態）
次に、第４の実施の形態については説明する。
【００６８】
図６は、第４の実施の形態に係る挿入部の先端部の構成について説明するための断面図である。なお、図６において、図５と同様の構成については、同一の符号を付して説明を省略する。
【００６９】
第４の実施の形態では、第３の実施の形態の先端部１２ｃに代わり、先端部１２ｄを用いて構成されている。本実施の形態では、先端部１２ｄの筒状体４０ａの開口にカバーガラス４９が配置される。そして、このカバーガラス４９に先端部１２ｄの照明レンズ１３ｂの平面を覆うように、顔料４４を含む樹脂皮膜４８をコーティングする。なお、顔料４４を含む樹脂皮膜４８は、照明レンズ１３ｂの平面にコーティングしてもよい。
【００７０】
アクチュエータ１５が故障する等により、レーザ光が集中照射された異常動作では、顔料４４及び／又は樹脂皮膜４８が黒色に変色し、レーザ光が黒色に変色した顔料４４及び／又は樹脂皮膜４８により遮断され、レーザ光が被写体に集中照射させることを防ぐようになっている。
【００７１】
このように、顔料４４及び／又は樹脂皮膜４８が黒色に変色した場合、カバーガラス４９を筒状体４０ａの開口から取り外し、変色した樹脂皮膜４８を除去する。そして、顔料４４を含む樹脂皮膜４８をカバーガラス４９に新たにコーティングした後、そのカバーガラス４９を筒状体４０ａの開口に取り付ける。この結果、例えば、第１の実施の形態では、顔料４４を含む樹脂４５が黒色に変色すると、挿入部１０を分解して黒色に変色した樹脂４５を取り除かなければ、再使用ができないが、本実施の形態では、挿入部１０を分解しなくても、再使用ができるようになる。
【００７２】
よって、本実施の形態の先端部１２ｄを備えた挿入部１０及び内視鏡２によれば、第１の実施の形態と同様の効果に加え、顔料４４を含む樹脂皮膜４８が黒色に変化した場合でも、容易に再使用ができるという効果を有する。
【００７３】
本発明は、上述した実施の形態に限定されるものではなく、本発明の要旨を変えない範囲において、種々の変更、改変等が可能である。
【符号の説明】
【００７４】
１…内視鏡装置、２…内視鏡、３…本体装置、４…モニタ、１０…挿入部、１１…コネクタ、１２，１２ｂ，１２ｃ，１２ｄ…先端部、１２ａ…先端面、１３…先端光学系、１３ａ，１３ｂ…照明レンズ、１４…光ファイバ、１５…アクチュエータ、１６…検出ファイバ、１７…メモリ、１８…導線、２１…電源、２２…メモリ、２３…コントローラ、２４…光源ユニット、２５…ドライバユニット、２６…検出ユニット、３１…レーザ光源、３３…信号発生器、３４ａ〜３４ｃ…Ｄ／Ａ変換器、３５…アンプ、３６…分波器、３７ａ〜３７ｃ…検出器、３８ａ〜３８ｃ…Ａ／Ｄ変換器、４０ａ，４０ｂ，４０ｃ…筒状体、４１…フェルール、４２，４３…固定部材、４４…顔料、４５…樹脂、４６…黒色、４７…平板、４８…樹脂皮膜、４９…カバーガラス。
【図１】
2015080488.tif 000003
【図２】
2015080488.tif 000004
【図３】
2015080488.tif 000005
【図４】
2015080488.tif 000006
【図５】
2015080488.tif 000007
【図６】
2015080488.tif 000008